(57)【特許請求の範囲】
【請求項１】
大サイズのテープカートリッジを収納できる収納部を備える外ケースと、該収納部内に組み付けられて、前記大サイズのテープカートリッジより小サイズのテープカートリッジを収容するための収容部を備える内ケースとからなり、
前記外ケースは、前記収納部を有する四角容器状のケース本体と、該ケース本体の上方開口を封する蓋体とが、ヒンジを介して一体に形成されており、
前記蓋体の内面に、前記収納部に収容した大サイズのテープカートリッジのガタつきを規制する規制体が設けてられており、
前記蓋体を前記ケース本体に被せ付けて上方開口を封した状態において、前記規制体と前記収容部の底壁との対向間隔が、前記小サイズのテープカートリッジの上下厚み寸法に一致させてあり、
前記底壁に、下方に突出する脚部が凹み形成されており、
前記脚部の底面を前記収納部の底面に溶着固定して、前記内ケースが前記ケース本体に対して分離不能に固定してあることを特徴とするテープカートリッジの収納ケース。
【請求項２】
前記内ケースが、前記底壁と、前記底壁の四周縁に連続して立設される内周壁と、所定の隙間を空けて前記内周壁の周囲を囲む外周壁と、前記内周壁と前記外周壁の上縁どうしを繋ぐ上壁と、前記外周壁の下端周縁に張り出し形成されるフランジとを含んで構成されており、
前記フランジの周縁の前後寸法および左右寸法が、前記収納部の内法前後寸法および内法左右寸法と等しく設定してある請求項１に記載のテープカートリッジの収納ケース。  
【発明の詳細な説明】
【技術分野】
【０００１】
本発明は、大サイズのテープカートリッジを収容するための収納部を備える外ケースと、該収納部内に組み付けられて、大サイズのテープカートリッジより小サイズのテープカートリッジを収容するための収容部を備える内ケースとからなるテープカートリッジの収納ケースに関する。
【背景技術】
【０００２】
テープカートリッジ、特に業務用の分野では、外形寸法の異なる種々の製品が実用化されている。これらテープカートリッジは、専用の収納ケースを個別に備えるが、この収納ケースの外形寸法がテープカートリッジの種類毎に異なっていると、まとめて持ち運ぶ際の取り扱いに難があり、棚などに整列した際にも不揃いとなって、棚空間に無駄なスペースを生じやすい。そこで、大サイズのテープカートリッジの収納ケースを利用して、小サイズのテープカートリッジを収納できるようにした収納ケースが、特許文献１に提案されている。そこでは、大サイズのテープカートリッジの収納部に内ケースを組み込んで、内ケースに設けた収容凹部に小サイズのテープカートリッジを収納している。
【０００３】
【特許文献１】実用新案登録第２５９２９１５号公報（段落番号００１０、図３）
【発明の開示】
【発明が解決しようとする課題】
【０００４】
特許文献１の収納ケースにおいては、内ケースの収容凹部の底壁を、収納ケースに設けた収納部の底壁に溶着することにより、内ケースを収納ケースに対して分離不能に固定している。問題は、収納ケースの上下寸法は大サイズのテープカートリッジに対応して設定してあるため、内ケースの収容凹部に収納した小サイズのテープカートリッジの上面と、収納ケースの蓋内面との間に空間が生じ、小サイズのテープカートリッジが上下にガタつき易いことにある。
【０００５】
本発明の目的は、大サイズのテープカートリッジ用に形成された外ケースに、小サイズのテープカートリッジを収納するための内ケースが組み付けられているテープカートリッジの収納ケースにおいて、内ケースに収納された小サイズのテープカートリッジがガタつくことを確実に防止することにある。
【課題を解決するための手段】
【０００６】
本発明に係るテープカートリッジの収納ケースは、図２に示すように、大サイズのテープカートリッジＣ１を収納できる収納部１０を備える外ケース１と、該収納部１０内に組み付けられて、前記大サイズのテープカートリッジＣ１より小サイズのテープカートリッジＣ２を収容するための収容部４０を備える内ケース２とからなる。前記外ケース１は、前記収納部１０を有する四角容器状のケース本体３と、該ケース本体３の上方開口を封止する蓋体５とが、ヒンジ７を介して一体に形成されている。前記蓋体５の内面に、前記収納部１０に収容した大サイズのテープカートリッジＣ１のガタつきを規制する規制体２２が設けられている。そして、前記蓋体５を前記ケース本体３に被せ付けて上方開口を封した状態において、前記規制体２２と前記収容部４０の底壁４１との対向間隔ｔ１が、前記小サイズのテープカートリッジＣ２の上下厚み寸法ｔ２に一致させてあることを特徴とする。
【０００７】
図１（ａ）に示すように、底壁４１に、下方に突出する脚部４７が凹み形成され、脚部４７の底面を収納部１０の底面に溶着固定して、内ケース２がケース本体３に対して分離不能に固定してある形態を採ることができる。
【０００８】
図２に示すように、内ケース２が、底壁４１と、底壁４１の四周縁に連続して立設される内周壁４２と、所定の隙間を空けて内周壁４２の周囲を囲む外周壁４３と、内周壁４２と外周壁４３の上縁どうしを繋ぐ上壁４４と、外周壁４３の下端周縁に張り出し形成されるフランジ４５とを含んで構成され、図４に示すように、フランジ４５の周縁の前後寸法および左右寸法が、収納部１０の内法前後寸法および内法左右寸法と等しく設定されている形態を採ることができる。
【発明の効果】
【０００９】
本発明に係る収納ケースにおいては、図４に示すように、蓋体５をケース本体３に被せ付けて上方開口を封した状態において、規制体２２と収容部４０の底壁４１との対向間隔ｔ１が、小サイズのテープカートリッジＣ２の上下厚み寸法ｔ２に一致するようにした。これにより、収容部４０に収容した小サイズのテープカートリッジＣ２の上面を、規制体２２で押さえることができるので、規制体２２と底壁４１とでテープカートリッジＣ２の上下面を挟み固定して、テープカートリッジＣ２が上下にガタつくのを防止できる。
【００１０】
加えて、本発明によれば、大サイズのテープカートリッジＣ１用に作成された外ケース１の設計変更を最小限化して、該外ケース１の製造コストの増加を効果的に抑えながら、種々の大きさの小サイズのテープカートリッジＣ２のガタ付き防止機能が得られる利点がある。すなわち、本願発明において、サイズの異なる（厚み寸法の異なる）小サイズのテープカートリッジＣ２に対応する場合には、該テープカートリッジＣ２の厚み寸法に合わせて、底壁４１の高さ位置の異なる内ケース２を用意すればよく、外ケース１の設計変更は不要であり、規格化された１種の外ケース１を用意すれば足りる。これに対して、規制体２２の突出寸法の異なる種々の外ケース１を用意することで、サイズの異なる小サイズのテープカートリッジＣ２に対応しようとした場合には、規制体２２に相当する箇所の形状が異なる複数種の成形金型を用意する、或いは外ケース１の成形金型の規制体２２に相当する箇所を部分的に取り替え可能とする必要があり、外ケース１の製造コストが増加することが避けられない。
【００１１】
収容部４０の底壁４１に脚部４７を凹み形成すると、その分だけ底壁４１の構造強度が向上するので、底壁４１が上下に撓み変形するのを防止できる。更に、脚部４７を収納部１０の底面に固定するので、該底面からの底壁４１の高さ位置を厳密に規定して、収容部４０に収容した状態における小サイズのテープカートリッジＣ２の上下方向のガタつきをより確実に防止できる。
【００１２】
内ケース２の外周壁４３の下端周縁にフランジ４５を張り出し形成すると、その分だけ外周壁４３の構造強度が向上するので、外周壁４３が内外方向に変形するのを防止でき、したがって、外周壁４３の変形に伴って内ケース２が収納部１０内でガタついたり、内ケース２を収納部１０に固定する際に該内ケース２が位置ズレするのを防止できる。更に、フランジ４５の上方にスペースが生じる。このスペースは、例えば、カートリッジＣ２に貼り付けるラベルの収容空間などとして活用することができる。
【発明を実施するための最良の形態】
【００１３】
（第１実施形態）  図１から図４に、本発明を２リール型のテープカートリッジの収納ケースに適用した第１実施形態を示す。図２の下方に示す収納ケースは、大サイズのテープカートリッジＣ１を収納するための外ケース１と、該外ケース１の内部に組み付けられる内ケース２とで構成される。外ケース１は、有底四角容器状のケース本体３と、ケース本体３の上方開口を封する蓋体５と、これらケース本体３と蓋体５とを連結する背壁６とを備え、これらケース本体３、蓋体５、および背壁６を一体に形成してなるプラスチック成形品である。背壁６とケース本体３、および背壁６と蓋体５の間には、ヒンジ７・７が設けられており、これらヒンジ７・７を介して、蓋体５はケース本体３の上方開口を封する閉じ姿勢（図１参照）と、上方開口を開放する開き姿勢（図２参照）との間で開閉自在である。
【００１４】
ケース本体３は、四角形状の底壁８と、底壁８の内面の四周縁寄りに立設された四角枠状の内周壁９とを有し、これら底壁８と内周壁９とで区画される収納部１０内に、大サイズのテープカートリッジＣ１を収納することができる。図４に示すように、内周壁９の前壁１１および左右壁１２・１２の長手方向の中央部分には、カートリッジＣ１の３周側面を受け止める保持壁１１ａ・１２ａ・１２ａが、収納部１０の内方へ向かって膨出形成されている。内周壁９の後壁１３の長手方向の中央部分には、収納部１０の外方に向かって逃壁１３ｂが膨出形成されており、逃壁１３ｂの左右に連続する保持壁１３ａ・１３ａで、カートリッジＣ１の後側面を受け止める。カートリッジＣ１を収納部１０に収納した状態において、内周壁９を構成する前後左右の各保持壁１１ａ・１２ａ・１２ａ・１３ａがカートリッジＣ１の周側面に当接して、その前後左右方向のガタつきを規制することができる。本実施形態における大サイズのテープカートリッジＣ１の左右寸法、前後寸法、および上下寸法は、それぞれ１２５ｍｍ、７８ｍｍ、１５ｍｍである。
【００１５】
図２に示すように蓋体５は、閉じ状態で外ケース１の底壁８に対向する上壁２０と、上壁２０の内面の前縁寄り部位および左右縁寄り部位の三側方から立設されて、閉じ状態で内周壁９の外面に被さる外周壁２１とを有する。上壁２０の内面には、規制体２２・２２が突出形成されている。これら規制体２２・２２は、左右方向に走るリブ状を呈しており、両規制体２２・２２は、前後２列に並行状に形成されている。大サイズのテープカートリッジＣ１を収納した状態においては、図１（ｂ）に示すように、規制体２２・２２と底壁８とがカートリッジＣ１の上下面にそれぞれ当接することで、その上下方向のガタつきを規制できる。
【００１６】
ケース本体３と蓋体５の間には、蓋体５を閉じ姿勢に保持するためのメインロック機構およびサブロック機構が設けられる。図３に示すようにメインロック機構は、底壁８の前縁の左右方向中央部に一体成形ヒンジを介して起伏自在に設けられたロック部材２５と、蓋体５の外周壁２１の前壁外面に突設された被係合爪２６とで構成される。ロック部材２５の後面には、被係合爪２６と係合可能な係合爪２７が形成されており、蓋体５を閉じ状態としてから、ロック部材２５を起立させて外周壁２１の前壁に押し付けることにより、係合爪２７を被係合爪２６に係合させることができる。底壁８および上壁２０の前端の左右両側には、メインロック機構の破損等を防止するためのフランジ２８・２９が前後および左右の水平方向に張り出し形成されており、これらフランジ２８・２９が、外ケース１を誤って落下させた際に床面に先当たりすることで、落下衝撃がロック部材２５に作用して該ロック部材２５が破損することを防止できる。
【００１７】
サブロック機構は、メインロック機構に先立ってロック状態となり、メインロック機構よりも小さな係合力で蓋体５を閉じ状態に保持する。このようにサブロック機構を設けていると、ロック部材２５を操作する際に、蓋体５を閉じ状態の位置に保持しておく手間を省くことができる。このサブロック機構は、図２に示すように、内周壁９の前壁１１の左右両端部の外面にそれぞれ設けられた左右一対の係合凹部３０・３０と、係合凹部３０・３０に対応して外周壁２１の前壁内面に設けられた左右一対の係合突起３１・３１とで構成されており、ケース本体３に対する蓋体５の閉じ動作に連動して、係合突起３１が係合凹部３０に係入する。
【００１８】
本実施形態においては、大サイズのテープカートリッジＣ１の収納部１０に、小サイズのテープカートリッジＣ２を収容する収容部４０を備えた内ケース２を配置する。これにより、外ケース１内に小サイズのテープカートリッジＣ２をガタ付き無く収納することができる。なお、本実施形態における小サイズのテープカートリッジＣ２の左右寸法、前後寸法および上下寸法は、それぞれ６６ｍｍ、４８ｍｍ、１２ｍｍである。
【００１９】
図２に示すように内ケース２は、四角形状の底壁４１と、底壁４１の四周縁に連続して立設される内周壁４２と、所定の隙間を空けた状態で内周壁４２の周囲を囲む外周壁４３と、内周壁４２と外周壁４３の上縁どうしを繋ぐ上壁４４と、外周壁４３の下端周縁に張り出し形成されるフランジ４５とを一体に備えるプラスチック成形品からなる。収容部４０は、底壁４１と内周壁４２とにより区画され、上面が開口している。上壁４４の左右両側には、収容部４０に収納された小サイズのテープカートリッジＣ２を取り出しを容易とするための、指掛け用の凹部４６・４６が設けられる。フランジ４５の周縁の前後寸法は、収納部１０の前後壁１１・１３に設けた保持壁１１ａ・１３ａの対向間隔と等しく設定してあり、左右寸法は、収納部１０の左右壁１２・１２に設けた保持壁１２ａ・１２ａの対向間隔と等しく設定してある。
【００２０】
底壁４１の左右両側には、脚部４７・４７が下方に向けて突出形成されている。各脚部４７は、上向きに開口する断面がコ字状の溝を備えた樋状体からなり、前後方向に長く形成される。各脚部４７の底壁をケース本体３の底壁８に重ねたうえで、図３に示すように各脚部４７の長手方向の３箇所を溶着することにより、ケース本体３に対して内ケース２が分離不能に固定される。図１（ａ）に示すように、内ケース２の外周壁４３の上下寸法は、内周壁４２の上下寸法よりも、脚部４７の上下寸法の分だけ大きく設定されており、フランジ４５も脚部４７と同じように底壁８に接合している。
【００２１】
そのうえで本実施形態においては、図１（ａ）・（ｂ）に示すごとく、蓋体５をケース本体３に被せ付けて閉止した状態において、蓋体５に設けた規制体２２と、内ケース２の収容部４０の底壁４１との対向間隔（ｔ１）が、カートリッジＣ２の上下厚み寸法（ｔ２）に一致させてある点が着目される。これにより、図１（ａ）・（ｂ）に対比して示すように、収容部４０に収納したときの小サイズのテープカートリッジＣ２の上面位置を、収納部１０に大サイズのテープカートリッジＣ１を収納した場合の該カートリッジＣ１の上面位置に等しくすることができる。したがって、収容部４０に収納した小サイズのテープカートリッジＣ２の上面を、規制体２２で押さえることができるので、規制体２２と底壁４１とでカートリッジＣ２の上下面を挟み固定して、カートリッジＣ２が上下にガタつくのを確実に防止できる。
【００２２】
本実施形態における脚部４７は、上記の配置や形状に限られず、例えば周回状などにすることができ、更には省略することもできる。
【００２３】
（第２実施形態）  図５は、本発明に係る収納ケースの第２実施形態を示す。そこでは内ケース２を、前後一対の保持枠５１・５１を備えるものとした。詳しくは内ケース２は、四角形状の底面壁５０と、底面壁５０の上面に膨出形成された前後一対の保持枠５１・５１とを一体に備えるプラスチック成形品であり、底面壁５０の前後寸法および左右寸法は、先の第１実施形態における収納部１０の内法前後寸法および内法左右寸法と等しく設定されている。各保持枠５１は、四角形状の底壁４１と、底壁４１の四周縁のうち三周縁に連続して立設される内周壁４２と、所定の隙間を空けた状態で内周壁４２の周囲を囲む外周壁４３と、底壁４１の残る一周縁および内外周壁４２・４３の水平方向終端に繋がる横長凹字状の対向壁５２と、内外周壁４２・４３および対向壁５２の上縁どうしを繋ぐ横長凹字状の上壁４４とを一体に備えており、外周壁４３および対向壁５２の下端が底面壁５０に繋がっている。前後の保持枠５１・５１は、対向壁５２・５２が所定の隙間を挟んで対向するように隣接配置される。
【００２４】
上記のように構成した内ケース２によれば、両保持枠５１・５１の底壁４１・４１により小サイズのテープカートリッジＣ２の下面を支持し、また、内周壁４２・４２によりカートリッジＣ２の前後および左右方向のガタつきを規制することができる。
なお、小サイズのテープカートリッジＣ２の収容部４０は、直方体状に区画された１個の凹部で形成する必要はなく、底壁４１と内周壁４２で区画される複数個の凹部を組み合わせて形成することができる。
【００２５】
なお、本実施形態においても、蓋体５の規制体２２と底壁４１との対向間隔（ｔ１）は、カートリッジＣ２の上下厚み寸法（ｔ２）に一致させてあり、したがって、規制体２２と底壁４１とでカートリッジＣ２の上下面を挟み固定して、カートリッジＣ２が上下にガタつくのを防止できる。それ以外の点は、先の第１実施形態と同様であるので、同様の部材には同様の符号を付して、その説明を省略する。
【００２６】
（第３実施形態）  図６は、本発明に係る収納ケースの第３実施形態を示す。そこでは、底面壁５０の上面に４個の保持枠５１を形成した点が先の第２実施形態と相違する。各保持枠５１は、四角形状の底壁４１と、底壁４１の四周縁のうち隣接する二周縁に連続して立設される内周壁４２と、所定の隙間を空けた状態で内周壁４２の周囲を囲む外周壁４３と、底壁４１の残る二周縁および内外周壁４２・４３の水平方向終端に繋がる対向壁５２と、内外周壁４２・４３および対向壁５２の上縁どうしを繋ぐＬ字状の上壁４４とを一体に備えており、外周壁４３および対向壁５２の下端が底面壁５０に繋がっている。４個の保持枠５１は、内周壁４２が底面壁５０の中央方向に指向するように、底面壁５０の四隅に分散して配置されており、各保持枠５１の底壁４１および内周壁４２により、カートリッジＣ２の下面および周側壁の隅部分をそれぞれ支持できる。それ以外の点は、先の第２実施形態と同様であるので、同様の部材には同様の符号を付して、その説明を省略する。
【図面の簡単な説明】
【００２７】
【図１】（ａ）は、本発明の第１実施形態に係る収納ケースの要部を示す、図４のＡ−Ａ線断面図であり、（ｂ）は、大サイズのテープカートリッジを収納した場合の同断面図である。
【図２】収納ケースの分解斜視図である。
【図３】収納ケースの展開状態での平面図である。
【図４】小サイズのテープカートリッジを収納した状態での横断平面図である。
【図５】本発明の第２実施形態に係る内ケースの平面図である。
【図６】本発明の第３実施形態に係る内ケースの平面図である。
【符号の説明】
【００２８】
１  外ケース
２  内ケース
３  ケース本体
５  蓋体
１０  収納部
２２  規制体
４０  収容部
４１  底壁
４７  脚部
Ｃ１  大サイズのテープカートリッジ
Ｃ２  小サイズのテープカートリッジ
【図１】
0005116033.tif 000002
【図２】
0005116033.tif 000003
【図３】
0005116033.tif 000004
【図４】
0005116033.tif 000005
【図５】
0005116033.tif 000006
【図６】
0005116033.tif 000007